(57)【要約】【課題】床下構造の如何に関わらず、排水枡のような排水機器などの設置レイアウトの変更に柔軟に対応でき、かつ簡単に清掃できる排水トラップおよびその排水トラップ付き排水枡を提供する。【解決手段】排水枡は、上槽と下槽を有し、上槽には、下槽との間を仕切る底面部を有し、前記底面部には排水開口部が設けられて排水トラップがはめ込まれ、排水トラップは、トラップ管と、トラップ椀とを有し、トラップ椀は、係止手段によってトラップ管の下端がトラップ椀の内部に突入するようにトラップ管の下方に吊下され、トラップ椀の上端とトラップ椀の下端のオーバーラップした間隔とで封水深を構成されていて、排水トラップが下槽の側面や底面に触れないことを特徴とする。【選択図】図２
0003219326.tif 000002
【実用新案登録請求の範囲】
【請求項１】
排水枡は、上槽と下槽を有し、
前記上槽には、前記下槽との間を仕切る底面部を有し、
前記底面部には排水開口部が設けられており、
前記排水開口部には、排水トラップがはめ込まれており、
前記排水トラップは、トラップ管と、トラップ椀とを有し、前記トラップ椀は、係止手段によって前記トラップ管の下端が前記トラップ椀の内部に突入するように前記トラップ管の下方に吊下され、前記トラップ椀の上端と前記トラップ椀の前記下端のオーバーラップした間隔とで封水深を構成されていて、前記排水トラップが前記下槽の側面や底面に触れないことを特徴とする排水枡。
【請求項２】
前記排水枡の上槽は、前記底面部に至る側面部が傾斜していることを特徴とする請求項１に記載の排水枡。
【請求項３】
前記排水枡の下槽は、その側面部に横引き配管を接続できることを特徴とする請求項１または２に記載の排水枡。
【請求項４】
前記排水枡の下槽は、その底面部に縦引き配管を接続できることを特徴とする請求項１または２に記載の排水枡。
【請求項５】
排水開口部に着脱可能な排水トラップは、トラップ管と、トラップ椀とを有し、前記トラップ椀は、係止手段によって前記トラップ管の下端が前記トラップ椀の内部に突入するように前記トラップ管の下方に吊下され、前記トラップ椀の上端と前記トラップ椀の前記下端のオーバーラップした間隔とで封水深を構成することを特徴する排水トラップ。
【考案の詳細な説明】
【技術分野】
【０００１】
本考案は、厨房、食品や薬品工場等に設置される排水枡や、浴室などにも使用できる排水トラップおよび排水トラップ付き排水枡に関する。
【背景技術】
【０００２】
一般に、住居や事務所等が入るビルやマンション等の高層建築物では、構造用床であるコンクリートスラブと居住部分である床との間に設けられた空間に、排水のための横引き管が敷設されることが多くなっている。この横引き配管は、最上階から貫く縦引きの排水管に接続されて排水されることとなる。こうした横引き配管は、コンクリートスラブに配管を貫通させることなく排水を可能とするため、施工がしやすく、また将来的にリニューアルが必要となった際に、水周りの配置をある程度自由に変えられるなどの利便性もあり、さらに防火や耐火構造においても有利な点が多い。
【０００３】
ただ、コンクリートスラブと床との間の高さには制限があり、横引き配管の勾配は大きく確保できない。そこで、横引き配管へ接続される排水機器については、浅部配管が可能なものが必要となる。例えば、図４に示される排水枡では、排水口が排水枡の底部中央に設けられているため、排水管はさらに排水枡よりも深い場所に設置スペースが必要となるのに対し、図３に示すように、特許文献１に係る排水枡では、排水枡下槽の側面に横引きの配管が設けられており、排水管の設置スペースに排水枡以上の深さを必要としないため、限られた床下の空間しか有さないビルやマンションなどの高層建築物での利用に優位性がある。
【０００４】
一方、食品や薬品工場、またショッピングモールなどの商業施設では、マンションなどと異なり、１フロアの床面積が非常に広いものとなる。そのため、床下の空間を利用した横引き配管で排水しようとしても、スムーズな排水を促すために必要な勾配が十分確保できないため、構造体である床のコンクリートスラブを貫通させた縦引き配管を利用して排水を行う必要がある。
【０００５】
しかしながら、こうした工場や商業施設の床構造は、デッキプレート上に鉄筋を配し、さらにコンクリートスラブを打設したものとなっている場合が多く、その上にタイルやパネルなどの床材を敷設されている。デッキプレートと鉄筋、コンクリートスラブとの組み合わせにより、コンクリートスラブを薄くして重量を減らしつつ、建物の構造体としての強度が十分に確保できるようになっているのである。
【０００６】
そこで、こうした床構造では、水周り配管や電気・通信配線などのレイアウトは、デッキプレートの上に鉄筋やコンクリートスラブを打設する前に決めておくのが望ましい。そして、例えば、排水枡を埋めこみたい箇所には、あらかじめ、その部分に鉄筋やコンクリートが敷設されないように木枠などで箱抜きしておき、そこへ排水枡などを埋設するのである。
【０００７】
【特許文献１】実用新案登録第３１９００４３号
【考案の開示】
【考案が解決しようとする課題】
【０００８】
しかしながら、実際の現場では、このレイアウトを変更せざるを得ないことが良く起こる。これでは、あらかじめ決めていた排水枡の設置場所に施した箱抜きは無駄になり、なおかつ、埋め戻し作業が必要になる。さらに新たな設置場所に後からコンクリートスラブへ穴を開けるなどの作業をしなければならず、手間がかかってしまう。また、構造体であるコンクリートスラブへ後から穴を開ける場合には、強度上の問題から大きな穴を開けることはできないため、後から設置する排水枡も小さなものに限定されてしまうなど、柔軟性にも事欠く。
【０００９】
また、特許文献１（図３）に示す排水枡の排水トラップは、下槽部分にトラップ椀を載置する構造であるため、排水枡の下槽に設ける配管を縦引き配管にすることができない。また、トラップ管とトラップ椀が別々に分かれているため、清掃の際、トラップ椀を取り外し、水の溜まった椀を排水開口部から手を入れて取り出さなくてはならず、作業が面倒、かつ不衛生である。
【００１０】
そこで、本考案では、上記の課題を解決するため、床下構造の如何に関わらず、排水枡のような排水機器などの設置レイアウトの変更に柔軟に対応でき、かつ簡単に清掃できる排水トラップと、その排水トラップ付き排水枡を提供する。
【課題を解決するための手段】
【００１１】
本考案に係る排水枡は、上槽と下槽を有し、この上槽には、下槽との間を仕切る底面部を有し、上槽の底面部には排水開口部が設けられて排水トラップがはめ込まれており、この排水トラップは、トラップ管と、トラップ椀とを有し、トラップ椀は、係止手段によってトラップ管の下端がトラップ椀の内部に突入するようにトラップ管の下方に吊下され、トラップ椀の上端とトラップ椀の下端のオーバーラップした間隔とで封水深を構成されていて、前記排水トラップが前記下槽の側面や底面に触れないことを特徴とする。
【００１２】
この排水枡によれば、上下の二槽とし、下槽に流入する排水を排水トラップのトラップ椀に溜めることで封水部となし、排水枡自体に排水を溜める必要がなくなり、上槽の大きさに影響を受けることなく、下槽だけを高さも幅も小さくすることも可能になった。
【００１３】
また、排水トラップが下槽内の側面や底面に触れないため、下槽の側面部に横引き配管を接続するか、あるいは下槽の底面に縦引き配管を接続するか任意に選べることを特徴とする。これによって、どのような構造をした床においても柔軟に施行が可能になった。
【００１４】
下槽が小さいことから、また、下槽に接続する配管の方向を任意に選べるので、コンクリートスラブなどの構造体に開けられた小さな穴であっても、排水枡の下槽部分をこのコンクリートスラブ層内に収まるように埋設できる。また、この場合には、排水のための配管は下槽の底面から縦引き配管を接続すれば、コンクリートスラブ層から下の空間において配管を自在にレイアウトすることができる。
【００１５】
また、排水枡の上槽は、上槽の底面部に至る側面部が傾斜しているため、視認性がよく清掃しやすい。
【００１６】
また、本考案に係る排水開口部に着脱可能な排水トラップは、トラップ管と、トラップ椀とを有し、前記トラップ椀は、係止手段によって前記トラップ管の下端が前記トラップ椀の内部に突入するように前記トラップ管の下方に吊下され、前記トラップ椀の上端と前記トラップ椀の前記下端のオーバーラップした間隔とで封水深を構成することを特徴する。
【００１７】
トラップ管とトラップ椀が一体となるため、排水開口部からの着脱が簡単となり、排水トラップだけでなく、下槽内も簡単に清掃できる。また、トラップ管とトラップ椀とで必要な封水深を確保できるので、二重トラップになる恐れのない場所に設置してある排水枡や、流し台、洗面台、浴槽などの排水溝にこの排水トラップを取り付けることにより、簡便にトラップ部を設けることができる。
【図面の簡単な説明】
【００１８】
【図１】本考案に係る排水枡の（ａ）断面図（ｂ）平面図である。
【図２】本考案の別の実施形態に係る排水枡の（ａ）断面図（ｂ）平面図である。
【図３】従来の排水トラップを取り付けた排水枡の断面図である。
【図４】従来の排水トラップを取り付けた排水枡の断面図である。
【考案を実施するための形態】
【００１９】
以下、本考案の実施形態を図面を参照しつつ説明する。なお、各図において、同一の部分または対応する部分には、同一の符号を付してある。
【００２０】
図１は、床下などに設置される排水枡１である。排水枡１は、床面と同一レベルの蓋が載置されるフランジ部２、排水から残さやごみ等を取り除くバスケット３を有する上槽４と、上槽４の底面部４ａを仕切としてその下に下槽５を有している。この下槽５の側面には横引き配管６が取り付けられている。
【００２１】
上槽４の底面部４ａには排水開口部７が設けられており、本発明の排水トラップ８がはめ込まれる。排水枡１へ流入してきた排水は、上槽４から排水開口部７から排水トラップ８へ流入し、さらに下槽５を経て横引き配管６へと案内される。
【００２２】
上槽４は、側面視で逆台形の形状をしており、フランジ部２から底面部４ａに至る側面部４ｂが緩やかに傾斜した漏斗状となっている。緩やかな傾斜を設けることで、排水枡１を上から見ると、上槽４の内側がすべてよく見え、また清掃がしやすい形状となっている。本実施例では、上槽４は平面視正方形の形をしているが、平面視円形でも長方形でもよい。この形状は、素材にステンレスを用いる場合には、特許文献１（図３）の上槽に示すような丸みを持たせるため、へら絞り加工を施したり、あるいは高価な金型を用意する必要がなく、直線の折り曲げ加工で済むため、製造に要する時間もコストも少なく抑えることができる。もちろん、素材はステンレスに限らず、ＦＲＰや塩ビなどの合成樹脂でもかまわない。
【００２３】
排水トラップ８は、円筒状のトラップ管９と円筒状のトラップ椀１０からなり、トラップ椀１０の径はトラップ管９の径よりも大きく構成されている。また、トラップ管９の下端開口部には横桟１１が固着されて、その横桟中心部には、ボルト１２が固着されている。さらに、トラップ椀１０の底面には、高ナット１３が固着されており、トラップ管９のボルト１２とトラップ椀の高ナット１３とを螺合させると、トラップ管９の下端９ａとトラップ椀１０の底面１０ａは高ナット１３の高さ分の間隔を隔てて互いの位置が決められる。
【００２４】
トラップ椀１０の径はトラップ管９の径よりも大きいため、トラップ管の下端９ａがトラップ椀１０内に突入した状態となり、トラップ管９の下端９ａとトラップ椀１０の上端１０ｂのオーバーラップした間隔が排水トラップに必要な封水深さ５０ｍｍ以上となるように、高ナット１３の高さをスぺーサとして利用し、また、高ナット１３とボルト１２が螺合することにより、トラップ椀１０はトラップ管９に吊下される。トラップ管９内に流入してきた排水は、トラップ椀１０内に一定量だけ溜まり、ここが封水部となる。
【００２５】
本実施例の下槽５は底面から見るとその断面が円形をしているが、これに限らず方形でもかまわない。また、トラップ椀１０内を封水部としたため、下槽５内に排水を溜めることがなくなり、そのため、下槽５はトラップ椀１０から排水が流れ出るのを阻害しない程度の大きさがあればよく、下槽５の径（円形の場合）あるいは幅（方形の場合）は、上槽４の大きさに関わらず、小さく抑えることができる。
【００２６】
また、排水トラップに必要な封水深は５０ｍｍとＳＨＡＳＥ規格等で決められているため、排水トラップ８を構成するトラップ管９とトラップ椀１０で必要な封水深を確保できれば、下槽５の高さも低く抑えることができる。
【００２７】
ところで、残さやごみを取り除くバスケット３はあまりに小さいとすぐに残さやごみ等で一杯になってしまい、排水をスムーズに排水トラップ８に流すことができなくなる。そこで、バスケット３は、そのような支障が出ない程度の大きさが必要である。バスケット３は上槽４に載置させるのであるが、そうした観点から、上槽４は下槽５よりも平面から見て大きく作られている。
【００２８】
これを言いかえれば、本考案に係る排水枡１は、バスケット３の大きさに影響を受けることなく、下槽５を小さくできるのである（例えば、図４に示す従来の排水枡では、水槽が１つしかないため、バスケット３´に必要な最低限の大きさが、水槽の大きさを決めるのに多少なりとも影響している。）。また、上槽４の高さは、上槽４の側面部４ｂの傾斜を変えることにより、高さを任意に変えることができる。
【００２９】
図１に示すように、トラップ管９の上端９ｂ周縁には、外方に張り出したフランジ１４が設けられており、排水開口部７にはめ込まれるようになっている（あるいは排水開口部７の周縁にフランジ１４を載置してもよい。）。フランジ１４の裏面には円筒状の垂下部１５が設けられており、垂下部１５の外周に装着されたシール部材１６は排水開口部７に設けられた顎部７ａに係止される。シール部材１６は排水開口部７の内壁と垂下部１５の外壁によって圧縮されて下槽５内の悪臭等が排水開口部７から外気へ漏れるのを封じる。
【００３０】
なお、図１のシール部材１６はＯリングであるが、特許文献１（図３）に示す形態のように、環状リップ１６´を有するシーリング部材であってもかまわない。
【００３１】
また、トラップ椀１０をトラップ管９に吊下される吊下手段としては、ナットボルトに限らず、差し込む角度を変えることによって引っ掛けたり外したりできる部材を使うこともできる。いずれにせよ、トラップ管９とトラップ椀１０とで構成する封水深さが所定の間隔を維持するものであり、かつトラップ管９とトラップ椀１０から構成される排水トラップ８を一体にして、排水開口部５から取り外せるようにできる係止部材であればよい。
【００３２】
トラップ管９の上端開口部には、取っ手１７が設けられており、この取っ手１７を持って、排水トラップ８を構成するトラップ管９とトラップ椀１０を一体で排水開口部から取り外すことができる。排水トラップ８を取り外した後の下槽５の内部は、障害物が全くない状態となり、清掃がしやすい。また、排水トラップ８もトラップ管９とトラップ椀１０を取り外すことができるため、清掃が簡単となる。
【００３３】
なお、本考案に係る排水トラップ８は、トラップ管９が載置できる排水開口部であれば、上記に例示した排水枡１だけでなく、流し台、洗面台、浴室の排水溝、側溝などにも取り付けることができる。
【００３４】
また、トラップ椀１０はトラップ管９に吊下されるため、排水トラップ８全体が下槽５内の底面や側面に触れることがなく、図２に示す第２の実施形態のように、下槽５に設けられる配管を縦引き配管１８にすることができる。第２の実施形態に係る排水枡１９は、コンクリートスラブ２０を貫通させて埋設するのに有利な形態である。以下、図２を参照しつつ説明する。
【００３５】
この排水枡１９が埋設される床構造体の一例として、図２では、コンクリートスラブ２０その上面に防水シート２１が敷設され、さらにその上に軽量コンクリート２２が打設された床を紹介している。もちろん、これらに限定されないことはいうまでもなく、あくまで一例である。
【００３６】
この床に排水枡１９を設置する際の手順を説明する。コンクリートスラブ２０には、排水枡１９の下槽５が埋設できる大きさの穴２０ａがあらかじめ設けられているか、あるいは穿設されており、防水シート２１と軽量コンクリート２２が打設される前に、排水枡１９の下槽５をこの穴２０ａに落とし込む。上槽４と下槽５の境界には防水つば２３が設けられており、この防水つば２３をコンクリートスラブ２０の上に載置し、防水つば２３をアンカーボルト等でコンクリートスラブ２０に固定する。穴２０ａは防水つば２３によって塞がれ、さらに防水つば２３の上に防水シート２１が敷設される。この防水つば２３は、防水シート２１との接着面積を確保して排水がコンクリートスラブ２０側に漏れないようにすることと、必要に応じてレベル調整工具が取り付けられてレベル調整部材としての役割も果たす。
【００３７】
また、排水枡１９の上槽４の側面４ｂには開口部２４が設けられて、側溝２５からの排水が上槽４に流れ込むようになっている。上槽４の開口部２４と側溝２５の結合部２５ｃは溶接が施されて結合されている（あるいは側溝２５の代わりに配管から排水が流れ込む場合などは開口部２４に配管を差し込むようにしてもよい。）。側溝２５のフランジ部２５ｄに載置される図示しないグレーチングなどのカバーと床面が同一レベルとなるように側溝２５のレベル調整も行い、防水シート２１の上に軽量コンクリート２２が打設される。
【００３８】
上槽４と同じく側溝２５は、水平な底面部２５ａと緩やかに傾斜した側面部２５ｂを有するため、上から側溝を見た場合、視認性がよく、清掃しやすい。また、この形状は、側溝２５の素材にステンレスを用いる場合には、特許文献１に示すような丸みを持たせるための全面絞り加工を施す必要がなく、直線の折り曲げ加工で済むため、製造に要する時間もコストも少なく抑えることができる。もちろん、素材はステンレスに限らず、ＦＲＰや塩ビなどの合成樹脂でもかまわない。
【００３９】
ところで、コンクリートスラブ２０は、建物の構造体であるため、大きな穴を開けたりすることはできないが、レイアウトの変更やリフォームなどで止むを得ず新しく穴を開けなければならない場合がある。その場合、コアドリルなどを使って穿設する手法がよく取られる。コアドリルの径はせいぜい大きくても２００〜３００ｍｍ程度のものである。排水枡１９の下槽５は、トラップ椀１０内を封水部としたため、下槽５内に排水を溜めることがなくなり、そのため、下槽５はトラップ椀１０から排水が流れ出るのを阻害しない程度の大きさがあればよく、この穴に納まる大きさにすることができる。
【００４０】
また、排水トラップに必要な封水深は５０ｍｍとＳＨＡＳＥ規格等で決められているため、排水トラップ８を構成するトラップ管９とトラップ椀１０で必要な封水深を確保できれば、下槽５の高さも低く抑えることができるので、コンクリートスラブ２０層の高さに下槽５の高さもまた納めることができる。なお、下槽５の形状であるが、このコンクリートスラブ２０の穴に大きさに納まるものであれば、円筒形でも方形でも逆多角錐あるいは逆円錐形のものでもかまわない。
【００４１】
一方、軽量コンクリート２２層に埋設される上槽４の高さは、側面部４ｂの傾斜を任意に選び、軽量コンクリート２２層の高さに合わせてつくられる。
【００４２】
上槽４を軽量コンクリート２２層内に、下槽５を構造体であるコンクリートスラブ２０層内にそれぞれ埋設し、下槽に接続される配管を縦引き配管１８とすることで、コンクリートスラブ２０を貫通した下の空間で任意に配管の配置をレイアウトすることができる。
【符号の説明】
【００４３】
１、１９            排水枡
２                        フランジ部
３                        バスケット
４                        上槽
５                        下槽
６                        横引き配管
７                        排水開口部
８                        排水トラップ
９                        トラップ管
１０                    トラップ椀
１１                    横桟
１２                    ボルト
１３                    ナット
１４                    フランジ
１５                    垂下部
１６                    シーリング部材
１７                    取っ手
１８                    縦引き配管
２０                    コンクリートスラブ
２１                    防水シート
２２                    シンダーコンクリート
２３                    防水つば
２４                    開口部
２５                    側溝
ＳＷ                    封水深
【図１】
0003219326.tif 000003
【図２】
0003219326.tif 000004
【図３】
0003219326.tif 000005
【図４】
0003219326.tif 000006